(57)【要約】【課題】磁気ヘッドと磁気媒体の綴じ目とが接触することを防止する。【解決手段】磁気ストライプ２１１が綴じ目２０６と交差する方向に設けられた磁気媒体２００を第１媒体２００ａとし、磁気ストライプ２２１が綴じ目と平行な方向に設けられた磁気媒体を第２媒体２００ｂとし、磁気情報を読み取る場合に、磁気媒体を、磁気ヘッド１８１が第１媒体の綴じ目に接触しない位置に規定された第１読取ポジションにセットしてから、磁気情報を読み取り、第１読取ポジションでの読み取り結果から磁気媒体が第２媒体であると判断されるときに、磁気媒体を、第２読取ポジションにセットしてから、磁気情報を読み取る。【選択図】図３
2010287006.tif 000002
【特許請求の範囲】
【請求項１】
磁気ヘッドを磁気媒体に設けられた磁気ストライプと対向して移動させることにより、当該磁気媒体から磁気情報を読み取る磁気情報読取機構において、
前記磁気ストライプが綴じ目と交差する方向に設けられた磁気媒体を第１媒体とし、前記磁気ストライプが綴じ目と平行な方向に設けられた磁気媒体を第２媒体とし、当該第１媒体から前記磁気情報を読み取るための第１読取ポジションと、当該第２媒体から前記磁気情報を読み取るための第２読取ポジションとが予め規定され、
前記第１読取ポジションは、前記磁気ヘッドが当該第１媒体の綴じ目に接触しない位置に規定されており、
前記磁気情報を読み取る場合に、前記磁気媒体を、前記第１読取ポジションにセットしてから、前記磁気情報を読み取り、
前記第１読取ポジションでの読み取り結果から前記磁気媒体が前記第２媒体であると判断されるときに、前記磁気媒体を、前記第２読取ポジションにセットしてから、前記磁気情報を読み取る
ことを特徴とする磁気情報読取機構。
【請求項２】
請求項１に記載の磁気情報読取機構において、
前記磁気情報を読み取り可能な前記磁気ヘッドの移動範囲を前記磁気ヘッドの読取範囲とし、
前記第１読取ポジションは、前記第１媒体の前記綴じ目が前記磁気ヘッドの読取範囲外に配置され、かつ、前記第１媒体の前記磁気ストライプの中の少なくとも前記磁気情報が書き込まれた磁気書込エリアが前記磁気ヘッドの読取範囲内に配置される位置に規定されており、
前記第２読取ポジションは、前記第２媒体の前記磁気ストライプの中の少なくとも前記磁気情報が書き込まれた磁気書込エリアが前記磁気ヘッドの読取範囲内に配置される位置に規定されている
ことを特徴とする磁気情報読取機構。
【請求項３】
請求項１又は請求項２に記載の磁気情報読取機構において、
前記磁気媒体が複数の前記磁気書込エリアを有する前記第２媒体である場合に、前記第１読取ポジションでいずれかの前記磁気書込エリアに書き込まれた前記磁気情報を読み取り、前記第２読取ポジションで他の前記磁気書込エリアに書き込まれた前記磁気情報を読み取る
ことを特徴とする磁気情報読取機構。
【発明の詳細な説明】
【技術分野】
【０００１】
本発明は、磁気媒体から磁気情報を読み取る磁気情報読取機構に関する。
【背景技術】
【０００２】
磁気情報読取機構の中には、例えば預金通帳等の冊子状に形成された磁気媒体から磁気情報を読み取ることができるように構成されたものがある（例えば、特許文献１参照）。このような磁気情報読取機構は、主に金融機関等で使用される機器、例えば、通帳記帳機や、自動取引装置（ＡＴＭ）、窓口装置等に用いられている。
【０００３】
図７に、磁気情報読取機構の一構成例を示す。図７は、従来の磁気情報読取機構の概要説明図である。図７（ａ）は、上方向から見た磁気情報読取機構の構成を示しており、図７（ｂ）は、横方向から見た磁気情報読取機構の構成を示している。なお、図７（ｂ）中、符号「ｌ１」は、後記する第２媒体２００ｂの磁気ストライプ２２１の長さを表している。また、符号「ＬＬ１」は、後記する磁気ヘッド４の可動範囲を表しており、符号「ＬＬ２」は、磁気情報を読み取ることが可能な範囲（以下、「読取範囲」と称する）を表している。
【０００４】
図７に示すように、磁気情報読取機構５０は、搬送アッパガイド５と搬送ロアガイド６とによって、磁気媒体２００を搬送するための搬送路８が形成されている。搬送路８には、磁気情報の読み取り時に、挿入口９から、利用者によって、磁気媒体２００が挿入される。ここでは、磁気媒体２００として、「通帳」が挿入されるものとして説明する。
【０００５】
搬送アッパガイド５には、図示せぬ駆動機構によって回転駆動される搬送ローラ２が設けられている。一方、搬送ロアガイド６には、搬送ローラ２の回転に従動して回転するプレッシャローラ３が設けられている。プレッシャローラ３は、図示せぬ移動機構によって、搬送ローラ２と密着するように上方向に、又は、搬送ローラ２から離間するように下方向に、移動させられる。
【０００６】
搬送ローラ２は、搬送路８に挿入された磁気媒体２００をプレッシャローラ３との間で挟みながら回転駆動されることにより、磁気媒体２００を予め定められた読取ポジションまで搬送する。「読取ポジション」は、磁気媒体２００から磁気情報を読み取るために規定された、磁気媒体２００の停止位置である。磁気媒体２００は、読取ポジション上に、例えば搬送ロアガイド６の側方に設けられた搬送ガイド突き当て面７に突き当てられた状態で停止される。
【０００７】
磁気情報読取機構５０は、図７（ｂ）に示す矢印に沿って移動する磁気ヘッド４を有している。磁気ヘッド４は、通常時に、搬送ロアガイド６のガイド面の下に退避しており、磁気情報の読み取り時に、図７（ｂ）に示す矢印に沿って移動する。これにより、磁気ヘッド４は、磁気媒体２００の磁気ストライプ（図示例では、磁気ストライプ２１１）と接触して、磁気媒体２００から磁気情報を読み取る。
【０００８】
ところで、磁気媒体２００である通帳には、図８に示すように、磁気ストライプ２１１が綴じ目２０６と交差する方向に設けられたもの（以下、「第１媒体２００ａ」と称する）と、図９に示すように、磁気ストライプ２２１が綴じ目２０６と平行な方向に設けられたもの（以下、「第２媒体２００ｂ」と称する）とが存在する。
【０００９】
なお、図８は、第１媒体の構成図であり、図９は、第２媒体の構成図である。図８（ａ）、図８（ｂ）、及び図８（ｃ）は、それぞれ、正面方向、下方向、右方向から見た開ページ状態の第１媒体２００ａの構成を示している。一方、図９（ａ）、図９（ｂ）、及び図９（ｃ）は、それぞれ、正面方向、下方向、右方向から見た開ページ状態の第２媒体２００ｂの構成を示している。
【００１０】
第１媒体２００ａ及び第２媒体２００ｂは、外形寸法が同じである。また、第１媒体２００ａ及び第２媒体２００ｂは、磁気ストライプ２１１，２２１の幅及び横方向の位置が同じである。ただし、第１媒体２００ａ及び第２媒体２００ｂは、綴じ目２０６の方向、磁気ストライプ２１１，２２１の長さ、及び磁気ストライプ２１１，２２１に書き込まれている情報が異なる。
【００１１】
磁気情報読取機構５０は、磁気媒体２００から磁気情報を読み取るまでは、磁気媒体２００が第１媒体２００ａ及び第２媒体２００ｂのいずれであるのかを判別できない。そのため、磁気情報読取機構５０は、磁気ストライプが長い方の磁気媒体（すなわち、第２媒体２００ｂ）から磁気情報を読み取ることができるように、磁気ヘッド４の可動範囲ＬＬ１及び読取範囲ＬＬ２が第２媒体２００ｂの磁気ストライプ２２１の長さｌ１に合わせて設定されている（図７（ｂ）参照）。そのため、磁気情報読取機構５０は、磁気ヘッド４の可動範囲ＬＬ１及び読取範囲ＬＬ２が第２媒体２００ｂの磁気ストライプ２２１の長さｌ１よりも若干長く設定されている。なお、磁気ストライプ２２１の長さｌ１は、磁気媒体２００の縦方向の長さ（搬送方向の長さ）でもある。したがって、磁気情報読取機構５０は、磁気ヘッド４を、磁気媒体２００の縦方向の長さｌ１よりも長い範囲で移動させている。
【先行技術文献】
【特許文献】
【００１２】
【特許文献１】特開２００８−２２６０１３号公報
【発明の概要】
【発明が解決しようとする課題】
【００１３】
しかしながら、磁気情報読取機構５０は、磁気ヘッド４の可動範囲ＬＬ１及び読取範囲ＬＬ２が第２媒体２００ｂの磁気ストライプの長さｌ１に合わせて設定されているため、磁気媒体２００として第１媒体２００ａが用いられた場合に、磁気ヘッド４と第１媒体２００ａの綴じ目２０６とが接触する。この接触時の衝撃により、第１媒体２００ａは、磁気ヘッド４からＦ方向（図７（ａ）参照）に押圧され、その結果、Ｒ方向に傾斜するときがあった。また、その衝撃により、磁気ヘッド４が、磨耗していた。
【００１４】
従来の磁気情報読取機構は、前記した通り、磁気媒体として第１媒体（すなわち、磁気ストライプが綴じ目と交差する方向に設けられた磁気媒体）が用いられた場合に、磁気ヘッドと第１媒体の綴じ目とが接触する、という課題があった。
これにより、従来の磁気情報読取機構は、第１媒体が傾斜したり、磁気ヘッドが磨耗したりしていた。
【００１５】
本発明は、前記した課題を解決するためになされたものであり、磁気ヘッドと磁気媒体の綴じ目とが接触することが防止される磁気情報読取機構を提供することを主な目的とする。
【課題を解決するための手段】
【００１６】
前記目的を達成するため、本発明は、磁気ヘッドを磁気媒体に設けられた磁気ストライプと対向して移動させることにより、当該磁気媒体から磁気情報を読み取る磁気情報読取機構であって、前記磁気ストライプが綴じ目と交差する方向に設けられた磁気媒体を第１媒体とし、前記磁気ストライプが綴じ目と平行な方向に設けられた磁気媒体を第２媒体とし、当該第１媒体から前記磁気情報を読み取るための第１読取ポジションと、当該第２媒体から前記磁気情報を読み取るための第２読取ポジションとが予め規定され、前記第１読取ポジションは、前記磁気ヘッドが当該第１媒体の綴じ目に接触しない位置に規定されており、前記磁気情報を読み取る場合に、前記磁気媒体を、前記第１読取ポジションにセットしてから、前記磁気情報を読み取り、前記第１読取ポジションでの読み取り結果から前記磁気媒体が前記第２媒体であると判断されるときに、前記磁気媒体を、前記第２読取ポジションにセットしてから、前記磁気情報を読み取る構成とする。
【発明の効果】
【００１７】
本発明によれば、磁気ヘッドと磁気媒体の綴じ目とが接触することが防止される磁気情報読取機構を提供することができる。
【図面の簡単な説明】
【００１８】
【図１】実施形態１に係る磁気情報読取機構の構成図である。
【図２】実施形態１に係る磁気情報読取機構の機能ブロック図である。
【図３】実施形態１に係る磁気情報読取機構の動作説明図である。
【図４】実施形態１に係る磁気情報読取機構の動作を説明するためのフローチャートである。
【図５】実施形態２に係る磁気情報読取機構の動作説明図（１）である。
【図６】実施形態２に係る磁気情報読取機構の動作説明図（２）である。
【図７】従来の磁気情報読取機構の概要説明図である。
【図８】第１媒体の構成図である。
【図９】第２媒体の構成図である。
【発明を実施するための形態】
【００１９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２０】
［実施形態１］
＜磁気情報読取機構の構成＞
以下、図１及び図２を参照して、本実施形態１に係る磁気情報読取機構の構成につき説明する。図１は、本実施形態１に係る磁気情報読取機構の構成図である。図２は、実施形態１に係る磁気情報読取機構の機能ブロック図である。なお、図１（ｂ）中、符号「ｌ２」は、第１媒体２００ａの磁気ストライプ２１１の長さを表している。また、符号「Ｌ１」は、磁気ヘッド１８１の可動範囲を表しており、符号「Ｌ２」は、磁気ヘッド１８１の読取範囲を表している。
【００２１】
図１に示すように、磁気情報読取機構１００は、搬送アッパガイド１２１と搬送ロアガイド１２２とによって、磁気媒体２００を搬送するための搬送路１２５が形成されている。搬送路１２５には、磁気情報の読み取り時に、挿入口１２７から、利用者によって、磁気媒体２００が挿入される。ここでは、磁気媒体２００として、「通帳」が挿入されるものとして説明する。
【００２２】
搬送アッパガイド１２１には、搬送ローラ駆動機構１１２（図２参照）によって回転駆動される複数の搬送ローラ１６１ａ〜１６１ｆ（以下、総称する場合に、「搬送ローラ１６１」と称する）が設けられている。一方、搬送ロアガイド１２２には、搬送ローラ１６１の回転に従動して回転する複数のプレッシャローラ１６２ａ〜１６２ｆ（以下、総称する場合に、「プレッシャローラ１６２」と称する）が設けられている。プレッシャローラ１６２は、プレッシャローラ移動機構１１３（図２参照）によって、搬送ローラ１６１と密着するように上方向に、又は、搬送ローラ１６１から離間するように下方向に、移動させられる。なお、プレッシャローラ１６２は、図示せぬ駆動機構によって回転駆動されるように構成されていてもよい。
【００２３】
また、搬送アッパガイド１２１及び搬送ロアガイド１２２には、それぞれ、挿入検知センサ１３１、走行監視センサ１３２、及び突き当て確認センサ１３３が設けられている。
「挿入検知センサ１３１」は、挿入口１２７への磁気媒体２００の挿入を検知するための検知手段である。
「走行監視センサ１３２」は、搬送路１２５内での磁気媒体２００の走行位置・走行状態等を検知するための検知手段である。
「突き当て確認センサ１３３」は、搬送ガイド突き当て面１２６への磁気媒体２００の突き当て状態を検知するための検知手段である。
【００２４】
また、搬送路１２５の側方には、突き当てブロック１７１が設けられている。突き当てブロック１７１は、磁気媒体２００を、搬送ロアガイド１２２の側方に設けられた搬送ガイド突き当て面１２６に突き当てるための構成要素である。突き当てブロック１７１は、突き当てブロック移動機構１１４（図２参照）によって押圧されて、搬送路１２５内を、搬送ガイド突き当て面１２６の方向に移動する。磁気媒体２００は、突き当てブロック１７１によって搬送ガイド突き当て面１２６に突き当てられ、その後、搬送ガイド突き当て面１２６に沿って、後記する第１読取ポジション（図３（ｂ）参照）まで移動する。
【００２５】
磁気情報読取機構１００は、図１（ｂ）に示す矢印に沿って移動する磁気ヘッド１８１を有している。磁気ヘッド１８１は、通常時に、搬送ロアガイド１２２のガイド面の下に退避している。磁気ヘッド１８１は、磁気情報の読み取り時に、磁気ヘッド移動機構１１５（図２参照）によって押圧されて、図１（ｂ）に示す矢印に沿って移動する。すなわち、磁気ヘッド１８１は、搬送ロアガイド１２２に設けられた開口１２４から搬送路１２５内に進入した後、水平方向に移動する。これにより、磁気ヘッド１８１は、磁気媒体２００の磁気ストライプ２１１又は２２１と接触して、磁気媒体２００から磁気情報を読み取る。
【００２６】
また、磁気情報読取機構１００は、図２に示すように、制御部１０１の中に、搬送制御部１０１ａ、磁気ヘッド制御部１０１ｂ、及び磁気情報判定部１０１ｃを有している。これらは、ＣＰＵ、ＲＯＭ、ＲＡＭ、及びプログラムにより構成されている。
搬送制御部１０１ａは、磁気媒体２００の搬送を制御するための機能手段である。
磁気ヘッド制御部１０１ｂは、磁気ヘッド１８１の移動動作及び読み取り動作を制御するための機能手段である。
磁気情報判定部１０１ｃは、磁気媒体２００から読み取られた磁気情報の内容を判定するための機能手段である。
【００２７】
また、磁気情報読取機構１００は、図２に示すように、シャッタ駆動機構１１１、搬送ローラ駆動機構１１２、プレッシャローラ移動機構１１３、突き当てブロック移動機構１１４、磁気ヘッド移動機構１１５等を備えている。
シャッタ駆動機構１１１は、挿入口シャッタ１２７を開閉させるための駆動手段である。
搬送ローラ駆動機構１１２は、搬送ローラ１６１を回転させるための駆動手段である。
プレッシャローラ移動機構１１３は、プレッシャローラ１６２を上方向又は下方向に移動させるための手段である。
突き当てブロック移動機構１１４は、突き当てブロック１７１を移動させるための手段である。
磁気ヘッド移動機構１１５は、磁気ヘッド１８１を移動させるための手段である。
【００２８】
磁気情報読取機構１００は、従来の磁気情報読取機構５０と比較すると、以下の特徴を有している。
【００２９】
（１）従来の磁気情報読取機構５０は、磁気ヘッド４の可動範囲ＬＬ１及び読取範囲ＬＬ２が第２媒体２００ｂの磁気ストライプ２２１の長さｌ１に合わせて設定されている（図７（ｂ）参照）。これに対して、磁気情報読取機構１００は、磁気ヘッド１８１と第１媒体２００ａの綴じ目２０６とが接触しないように、磁気ヘッド１８１の可動範囲Ｌ１及び読取範囲Ｌ２が第１媒体２００ａの磁気ストライプ２１１の長さｌ２に合わせて設定されている。すなわち、磁気情報読取機構１００は、磁気ヘッド１８１の可動範囲Ｌ１及び読取範囲Ｌ２が、第１媒体２００ａの磁気ストライプ２１１の長さｌ２より若干長くなる程度に設定されている。なお、磁気ストライプ２１１の長さｌ２は、磁気媒体２００の縦方向の長さ（すなわち、第２媒体２００ｂの磁気ストライプ２２１の長さｌ１）の半分よりも短い。したがって、磁気情報読取機構１００は、磁気ヘッド１８１を、従来の磁気情報読取機構５０の磁気ヘッド４の読取範囲ＬＬ２よりも短い範囲で移動させる。
【００３０】
（２）従来の磁気情報読取機構５０は、「読取ポジション」が１箇所に設定されている。これに対して、磁気情報読取機構１００は、「読取ポジション」が複数（本実施形態１では、第１読取ポジションと第２読取ポジションの２箇所（図３参照））設定されている。なお、「第１読取ポジション」は、第１媒体２００ａから磁気情報を読み取るために規定された、磁気媒体２００の停止位置である。ただし、磁気情報読取機構１００は、第１媒体２００ａ及び第２媒体２００ｂの種別に関係なく、一回目の読み取り動作では、すべての磁気媒体２００を「第１読取ポジション」に一旦停止させる。この第１読取ポジションは、磁気ヘッド１８１が第１媒体２００ａの綴じ目２０６に接触しない位置に規定されている。また、「第２読取ポジション」は、第２媒体２００ｂから磁気情報を読み取るために規定された、磁気媒体２００の停止位置である。「第１読取ポジション」及び「第２読取ポジション」の位置関係については、図３を用いて後記する。
【００３１】
（３）従来の磁気情報読取機構５０は、一回の読み取り動作で、第１媒体２００ａ及び第２媒体２００ｂの種別に関係なく、磁気媒体２００を所定の読取ポジションにセットすることにより、磁気情報を読み取る。これに対して、磁気情報読取機構１００は、一度目の読み取り動作で、第１媒体２００ａ及び第２媒体２００ｂの種別に関係なく、磁気ヘッド１８１が第１媒体２００ａの綴じ目２０６に接触しないように、磁気媒体２００を第１読取ポジションにセットしてから、磁気情報を読み取り、第１読取ポジションでの読み取り結果から磁気媒体２００が第２媒体２００ｂであると判断されるときに、二度目の読み取り動作で、磁気媒体２００を第２読取ポジションにセットしてから、磁気情報を読み取る。
【００３２】
＜読取ポジションの位置関係＞
以下、図３を参照して、本実施形態１に係る磁気情報読取機構１００の読取ポジションの位置関係につき説明する。図３は、実施形態１に係る磁気情報読取機構の動作説明図である。図３は、磁気情報読取機構１００の読取ポジションの位置関係を示している。図３（ａ）は、磁気情報読取機構１００の読取範囲Ｌ２を示している。図３（ｂ）は、読取範囲Ｌ２と第１読取ポジションとの位置関係を示しており、図３（ｃ）は、読取範囲Ｌ２と第２読取ポジションとの位置関係を示している。
【００３３】
なお、ここでは、図３（ａ）に示すように、磁気情報読取機構１００の磁気ヘッド１８１の可動範囲が「Ｌ１」となっており、磁気ヘッド１８１の読取範囲が「Ｌ２」となっているものとして説明する。
【００３４】
また、ここでは、第１媒体２００ａ及び第２媒体２００ｂの寸法が、それぞれ、以下のようになっているものとして説明する。
【００３５】
第１媒体２００ａは、図３（ｂ）に示すように、縦方向の長さが「ｌ１」となっており、磁気ストライプ２１１の長さが「ｌ２」となっており、綴じ目２０６から磁気ストライプ２１１の前端までの距離「ｌ３」となっており、磁気ストライプ２１１の後端から磁気書込エリア２１２ａまでの間の空白エリアの長さが「ｌ４」となっており、磁気書込エリア２１２ａの長さが「ｌ５」となっている。なお、第１媒体２００ａの綴じ目２０６は、第１媒体２００ａの前端（又は、後端）から（ｌ１／２）の距離に設けられている。また、第１媒体２００ａの磁気ストライプ２１１は、第１媒体２００ａの左端（側端）から「ｗ１」の距離に設けられている。
【００３６】
一方、第２媒体２００ｂは、図３（ｃ）に示すように、縦方向の長さ及び磁気ストライプ２２１の長さが「ｌ１」となっており、磁気ストライプ２２１の後端から磁気書込エリア２２２ａまでの間の空白エリアの長さが「ｌ４」となっており、磁気書込エリア２２２ａの長さが「ｌ６」となっている。なお、第２媒体２００ｂの磁気ストライプ２２１は、第２媒体２００ｂの左端（側端）から「ｗ１」の距離に設けられている。
【００３７】
このような位置関係において、「第１読取ポジション」は、図３（ｂ）に示すように、第１媒体２００ａの綴じ目２０６から磁気ストライプ２１１の前端までの範囲内の位置に規定されている。
すなわち、「第１読取ポジション」は、第１媒体２００ａの前端から第１読取ポジションまでの距離を「ｌｍ」とすると、以下の式（１）で表される位置に規定されている。
（ｌ１／２）＜ｌｍ＜（（ｌ１／２）＋ｌ３）    …（１）
【００３８】
また、「第２読取ポジション」は、図３（ｃ）に示すように、第２媒体２００ｂの前端からの距離が、第１読取ポジションよりも小さな値になる位置に規定されている。
すなわち、「第２読取ポジション」は、第２媒体２００ｂの前端から第２読取ポジションまでの距離を「ｌｎ」とすると、以下の式（２）で表される位置に規定されている。
ｌｎ＜ｌｍ    …（２）
ただし、「第２読取ポジション」は、磁気情報の読み取り対象となるエリア（図示例では、第２媒体２００ｂの磁気書込エリア２２２ａ）が磁気ヘッド１８１の読取範囲Ｌ２に含まれる位置となるように、規定されている。
【００３９】
＜磁気情報読取機構の動作＞
以下、図４を参照して、本実施形態１に係る磁気情報読取機構１００の動作につき説明する。図４は、実施形態１に係る磁気情報読取機構の動作を説明するためのフローチャートである。
【００４０】
磁気情報読取機構１００は、通常時に、挿入口シャッタ１５１が閉じており、これにより、搬送路１２５が閉鎖された状態となっている（図１参照）。
磁気情報読取機構１００の利用者は、磁気情報の読み取り時に、磁気媒体２００を挿入口１２７に挿入する。これにより、磁気情報読取機構１００は、磁気情報の読み取り動作を開始する。
【００４１】
磁気情報の読み取り動作では、磁気情報読取機構１００は、まず、磁気媒体２００を第１読取ポジション（図３（ｂ）参照）にセットする（Ｓ１０５）。このＳ１０５の処理は、以下のようにして行われる。
【００４２】
すなわち、磁気情報読取機構１００は、まず、搬送制御部１０１ａ（図２参照）が、挿入検知センサ１３１によって、磁気媒体２００の挿入を検知し、これに応答して、シャッタ駆動機構１１１及び搬送ロータ駆動機構１１２を作動させる。これにより、シャッタ駆動機構１１１が挿入口シャッタ１５１を開けるとともに、搬送ロータ駆動機構１１２が搬送ローラ１６１を回転させて、磁気媒体２００を磁気情報読取機構１００の内部に取り込む。
【００４３】
搬送制御部１０１ａは、磁気媒体２００が磁気情報読取機構１００の内部に取り込まれると、走行監視センサ１３２によって、磁気媒体２００の走行位置・走行状態等を検知しながら、搬送ロータ駆動機構１１２を作動させて、磁気媒体２００を突き当てブロック１７１が設けられた位置まで搬送させる。
【００４４】
搬送制御部１０１ａは、磁気媒体２００が突き当てブロック１７１が設けられた位置まで搬送されると、搬送ローラ１６１の回転を停止させる。そして、搬送制御部１０１ａは、プレッシャローラ移動機構１１３（図２参照）を作動させて、プレッシャローラ１６２の上端の位置が搬送ロアガイド１２２のガイド面よりも下になるように、プレッシャローラ１６２を下方向に移動させる。
【００４５】
搬送制御部１０１ａは、プレッシャローラ１６２が移動すると、突き当てブロック移動機構１１４を作動させて、突き当てブロック１７１を図１に示す初期位置から搬送ガイド突き当て面１２６の方向に移動させる。
【００４６】
搬送制御部１０１ａは、突き当て確認センサ１３３によって、搬送ガイド突き当て面１２６への磁気媒体２００の突き当てを検出すると、突き当てブロック１７１の移動を一旦停止させる。その後、搬送制御部１０１ａは、突き当てブロック移動機構１１４を再び作動させて、突き当てブロック１７１を初期位置に戻させる。
【００４７】
搬送制御部１０１ａは、突き当てブロック１７１が初期位置に戻ると、プレッシャローラ移動機構１１３（図２参照）を作動させて、プレッシャローラ１６２を上方向に移動させる。これにより、磁気媒体２００は、プレッシャローラ１６２と搬送ローラ１６１とによって挟み込まれる。
【００４８】
搬送制御部１０１ａは、プレッシャローラ１６２が上方向に移動すると、走行監視センサ１３２によって、磁気媒体２００の走行位置・走行状態等を検知しながら、搬送ロータ駆動機構１１２を作動させて、磁気媒体２００を第１読取ポジションまで搬送させる。
このようにして、Ｓ１０５の処理が行われる。
【００４９】
Ｓ１０５の処理の後、磁気情報読取機構１００は、第１媒体２００ａの磁気書込エリア２１２ａ（図３（ｂ）参照）から磁気情報を読み取る（Ｓ１１０）。このＳ１１０の処理は、以下のようにして行われる。
【００５０】
すなわち、磁気情報読取機構１００は、磁気ヘッド制御部１０１ｂが、磁気ヘッド移動機構１１５を作動させる。これにより、磁気ヘッド移動機構１１５が、図３（ａ）に示す矢印に沿って磁気ヘッド１８１を移動（走行）させる。このとき、磁気ヘッド１８１は、読取範囲Ｌ２内で、磁気媒体２００の磁気ストライプ２１１又は２２１と接触して、磁気媒体２００から磁気情報を読み取る。なお、本実施形態１では、磁気ヘッド制御部１０１ｂは、第１媒体２００ａの磁気書込エリア２１２ａ（図３（ｂ）参照）から磁気情報を読み取るように、磁気ヘッド１８１を制御しているものとする。
このようにして、Ｓ１１０の処理が行われる。
【００５１】
なお、第１読取ポジションは、前記した通り、磁気ヘッド１８１が第１媒体２００ａの綴じ目２０６に接触しない位置に規定されている。そのため、Ｓ１１０の処理では、磁気ヘッド１８１が第１媒体２００ａの綴じ目２０６に接触しない。
【００５２】
Ｓ１１０の処理の後、磁気情報読取機構１００は、磁気情報判定部１０１ｃ（図２参照）によって、磁気媒体２００が第１媒体２００ａか否かを判定する（Ｓ１１５）。
【００５３】
Ｓ１１５の判定で、磁気媒体２００が第１媒体２００ａであると判定された場合（“Ｙｅｓ”の場合）に、磁気情報読取機構１００は、磁気情報の読み取り動作を終了する。
【００５４】
一方、Ｓ１１５の判定で、磁気媒体２００が第１媒体２００ａでない（すなわち、磁気媒体２００が第２媒体２００ｂである）と判定された場合（“Ｎｏ”の場合）に、工程はＳ１２０に進む。
この場合に、磁気情報読取機構１００は、Ｓ１０５の処理と同様に動作して、磁気媒体２００を第２読取ポジションにセットする（Ｓ１２０）。
【００５５】
Ｓ１２０の処理の後、磁気情報読取機構１００は、Ｓ１１０の処理と同様に動作して、第２媒体２００ｂの磁気書込エリア２２２ａ（図３（ｃ）参照）から磁気情報を読み取り（Ｓ１２５）、磁気情報の読み取り動作を終了する。
【００５６】
なお、磁気情報読取機構１００は、磁気情報の読み取り動作が終了すると、予め定められた所定の動作（例えば、磁気媒体２００を図示せぬ印字部や頁読み取り部等に搬送して、印字や頁読み取り等の処理）を行う。
【００５７】
以上の通り、本実施形態１に係る磁気情報読取機構１００によれば、磁気情報の読み取り時に、一回目の読み取り動作で、第１媒体２００ａ及び第２媒体２００ｂの種別に関係なく、磁気ヘッド１８１が第１媒体２００ａの綴じ目２０６に接触しないように、磁気媒体２００を第１読取ポジションにセットしてから、磁気情報を読み取り、第１読取ポジションでの読み取り結果から磁気媒体２００が第２媒体２００ｂであると判断されるときに、二度目の読み取り動作で、磁気媒体２００を第２読取ポジションにセットしてから、磁気情報を読み取る。
【００５８】
このような磁気情報読取機構１００によれば、磁気ヘッド１８１と第１媒体２００ａの綴じ目２０６とが（当然ながら、第２媒体２００ｂの綴じ目２０６とも）接触することを防止することができる。
その結果、磁気情報読取機構１００によれば、第１媒体２００ａが傾斜したり、磁気ヘッド１８１が磨耗したりすることを防止することができる。
【００５９】
［実施形態２］
本実施形態２では、磁気媒体２００が複数の磁気書込エリアを有する第２媒体２００ｂである場合に、磁気情報読取機構１００が、各磁気書込エリアから磁気情報を複数回に分けて読み取ることを特徴とする。
なお、本実施形態２では、磁気情報読取機構１００の構成自体は、実施形態１のものと同じである（図１及び図２参照）。また、その動作は、実施形態１の動作に準じたものとなる（図４参照）。
【００６０】
以下、図５及び図６を参照して、本実施形態２の詳細につき説明する。図５及び図６は、それぞれ、実施形態２に係る磁気情報読取機構の動作説明図である。
【００６１】
図５は、複数の磁気書込エリア（図示例では、磁気書込エリア２２２ａと磁気書込エリア２２２ｂの２箇所）を有する第２媒体２００ｂの構成を示している。図５に示す例では、第２媒体２００ｂは、磁気書込エリア２２２ａと磁気書込エリア２２２ｂとの間の空白エリアの長さが「ｌ７」となっており、磁気書込エリア２２２ｂの長さが「ｌ８」となっており、磁気書込エリア２２２ｂから磁気ストライプ２２１の前端までの間の空白エリアの長さが「ｌ９」となっている。なお、図５に示す例では、磁気書込エリア２２２ａの長さｌ６の方が磁気書込エリア２２２ｂの長さｌ８よりも長いように描かれているが、逆の場合もある。また、磁気書込エリアの数は、３箇所以上にすることもできる。
【００６２】
図６（ａ）は、磁気情報読取機構１００の読取範囲Ｌ２を示している。図６（ｂ）は、磁気書込エリア２２２ａから磁気情報を読み取る場合の読取範囲Ｌ２と第１読取ポジションとの位置関係を示しており、図６（ｃ）は、磁気書込エリア２２２ｂから磁気情報を読み取る場合の読取範囲Ｌ２と第２読取ポジションとの位置関係を示している。
【００６３】
磁気情報読取機構１００は、一回目の読み取り動作（すなわち、図４に示すＳ１０５及びＳ１１０の処理）で、図６（ｂ）に示すように、磁気媒体２００（ここでは、第２媒体２００ｂ）を第１読取ポジションにセットして、磁気書込エリア２２２ａに書き込まれている磁気情報を読み取る。
この後、磁気情報読取機構１００は、図４に示すＳ１１５の判定（すなわち、磁気媒体２００が第１媒体２００ａか否かの判定）を行う。
そして、磁気情報読取機構１００は、Ｓ１１５の判定で、磁気媒体２００が第１媒体２００ａでない（すなわち、磁気媒体２００が第２媒体２００ｂである）と判定された場合（“Ｎｏ”の場合）に、二回目の読み取り動作（すなわち、図４に示すＳ１２０及びＳ１２５の処理）で、図６（ｃ）に示すように、磁気媒体２００（ここでは、第２媒体２００ｂ）を第２読取ポジションにセットして、磁気書込エリア２２２ｂに書き込まれている磁気情報を読み取る。
【００６４】
なお、磁気情報読取機構１００は、好ましくは、磁気書込エリアの数が３箇所以上ある場合に、すべての磁気書込エリアから磁気情報が読み取れるように、第２読取ポジションの位置又は読み取り回数が予め設定されているとよい。
【００６５】
以上の通り、本実施形態２によれば、各磁気書込エリアから磁気情報を複数回に分けて読み取る。これにより、本実施形態２によれば、磁気ストライプ２２１の長さｌ１（図６（ｂ）参照）が第１媒体２００ａの磁気ストライプ２１１の長さｌ２（図３（ｂ）参照）よりも長い第２媒体２００ｂであっても、磁気ヘッド１８１の読取範囲Ｌ２を、第１媒体２００ａから磁気情報を読み取る場合と同様に設定することができる。そのため、本実施形態２によれば、磁気情報読取機構１００の小型化を図ることができる。
【００６６】
本発明は、前記した実施形態に限定されることなく、本発明の要旨を逸脱しない範囲で種々の変更や変形を行うことができる。
【符号の説明】
【００６７】
１００    磁気情報読取機構
１０１    制御部
１０１ａ    搬送制御部
１０１ｂ    磁気ヘッド制御部
１０１ｃ    磁気情報判定部
１１１    シャッタ駆動機構
１１２    搬送ローラ駆動機構
１１３    プレッシャローラ移動機構
１１４    突き当てブロック移動機構
１１５    磁気ヘッド移動機構
１２１    搬送アッパガイド
１２２    搬送ロアガイド
１２４    開口
１２５    搬送路
１２６    搬送ガイド突き当て面
１２７    挿入口
１３１    挿入検知センサ
１３２    走行監視センサ
１３３    突き当て確認センサ
１５１    挿入口シャッタ
１６１（１６１ａ〜１６１ｆ）    搬送ローラ
１６２（１６２ａ〜１６２ｆ）    プレッシャローラ
１７１    突き当てブロック
１８１    磁気ヘッド
２００（２００ａ，２００ｂ）    磁気媒体（第１媒体，第２媒体）
２０６    綴じ目
２１１，２２１    磁気ストライプ
２１２ａ，２２２ａ，２２２ｂ    磁気書込エリア
Ｌ１    可動範囲
Ｌ２    読取範囲
ｌ１    磁気媒体の縦方向の長さ（第２媒体の磁気ストライプの長さ）
ｌ２    第１媒体の磁気ストライプの長さ
ｌ３    第１媒体の綴じ目から磁気ストライプの前端までの距離
ｌ４    空白エリアの長さ
ｌ５    第１媒体の磁気書込エリアの長さ
ｌ６    第２媒体の磁気書込エリアの長さ
ｌｍ    第１媒体の前端から第１読取ポジションまでの距離
ｌｎ    第２媒体の前端から第２読取ポジションまでの距離
ｗ１    磁気媒体の左端から磁気ストライプの左端までの距離（磁気ストライプの横方向の位置）
【図１】
2010287006.tif 000003
【図２】
2010287006.tif 000004
【図３】
2010287006.tif 000005
【図４】
2010287006.tif 000006
【図５】
2010287006.tif 000007
【図６】
2010287006.tif 000008
【図７】
2010287006.tif 000009
【図８】
2010287006.tif 000010
【図９】
2010287006.tif 000011